(57)【特許請求の範囲】
【請求項１】
壁面上に略水平方向に設けた上下１組の看板取付レールと、前記１組の看板取付レールの中間位置に設けた照明用光源と、前記看板取付レールに懸架した光透過性ライン部看板ユニットとを少なくとも備えてなり、前記ライン部看板ユニットが、前方に膨出した形状の光透過性前面板と、該前面板と周縁で接触する光透過性背面板と、該前面板の周縁と該背面板の周縁とを併せて挟着できる嵌合溝を備えると共に前記１組の看板取付レールのそれぞれに懸架結合できる上下１組の懸架部を設けた看板枠体とからなることを特徴とする連合看板装置。
【請求項２】
前記前面板と前記背面板との少なくとも一方は、光透過性合成樹脂成形体からなる、請求項１に記載の連合看板装置。
【請求項３】
前記看板枠体が、上看板取付レールに対する上懸架部をを設けた上枠体と、下看板取付レールに対する下懸架部をを設けた下枠体と、該上枠体の左右端部と該下枠体の左右端部とをそれぞれ結合部材を介して連結する左枠体及び右枠体とからなる、請求項１又は２に記載の連合看板装置。
【請求項４】
前記上枠体と前記下枠体とが金属で形成され、前記左枠体と前記右枠体との少なくとも一方が光透過性合成樹脂から形成されてなる、請求項３に記載の連合看板装置。
【請求項５】
前記看板枠体は、前面側に前記嵌合溝を、また背面側に前記懸架部をそれぞれ設けてなる、請求項１乃至４のいずれかに記載の連合看板装置。
【請求項６】
前記懸架部は、前記看板取付レールに対して着脱可能であるか、又は前記看板取付レールに沿って摺動可能である、請求項１乃至５のいずれかに記載の連合看板装置。
【請求項７】
前記照明用光源は、前記看板取付レールの間隔を規制するハンガー部材の前面に設けたホルダー受けに対して着脱可能に止着し得る光源ホルダに装着してなる、請求項１乃至６のいずれかに記載の連合看板装置。
【請求項８】
縦断面の表側形状が前記ライン部看板ユニットの表側形状と略一致する光透過性合成樹脂前面板と光透過性合成樹脂側面板とを有し且つ両側面が背後方の鉛直線位置で交差する中空体を備えたコーナー部看板ユニットと、前記ライン部看板ユニットの端面を覆う光不透過性エンドカバーとの少なくとも一方を、前記ライン部看板ユニットの端部に隣接して設けた、請求項１乃至７のいずれかに記載の連合看板装置。
【発明の詳細な説明】
【０００１】
【発明の属する技術分野】
本発明は連合看板装置に関し、更に詳しくは、建築物又は構築物の壁面などに直付けして看板体を設け、その背後から照明することにより、明るい表示を浮かび上がらせるように構成した看板に関するものである。
【０００２】
【従来の技術】
従来から、建築物又は構築物の壁面に直付けして看板を設けることが行われている。そして看板の中で、表面に模様や文字などを表示した乳白色半透明の平板体を前面に設け、その裏側より照明を当てることにより、観察者の目を引きやすい明るい表示を現出する、所謂内照式の看板も多く用いられている。
【０００３】
また、このような内照式看板には、前方からしか観察できない平坦な形状のものの他に、例えば店の前等に置かれて前後双方から観察できる独立型の看板や、例えば店の軒先や欄間等に設けられて斜め前方からも観察できる、立体化した形状の壁面直付型看板など、種々の形態のものがある。そして、これらの立体化看板は、例えば光透過性の乳白色半透明合成樹脂板（乳半板）などを用いて、真空成形やブロー成形などの手段により所望の形状の看板面材を成形し、例えば金属製などの枠体などに嵌め込んで形成されるのが普通であった。
【０００４】
ところでこうした内照式看板は、内部に照明用光源取り付け用の器具等を設けているために、金属製などの堅固な看板面材取付枠材を使用する必要があり、重量が大きくなる。更に、光源から発生する熱による空気の膨張収縮があるので、看板を密封構造とすることができない。そのため、空気の呼吸に伴って看板内部に水分が浸入することにより、前記の枠材が腐食して寿命を縮め、或いはこうして発生した錆、内部に侵入した塵埃や昆虫等のために、看板面材の内面が汚染され、従って、分解して清掃するなどのために、余分の労力と維持費用がかかるという問題があった。
【０００５】
また、内照式看板のうちでも壁面直付型看板は、取り付け場所の状況に応じてデザインされるのが一般的であり、特に店舗の軒先や欄間等に設けられる大型の壁面直付型看板などでは、取り付け壁面の屈折状況、或いは取り付け位置や寸法などが一旦決定された後は、デザインの変更ができない。従って、店舗の模様替えや増設等の際には、従来の壁面直付型看板を廃棄すると共に、新しい壁面直付型看板を作成して取り付ける必要があり、また運用中に看板の一部が破損しても、看板面材の全体を交換しなければならないため、回収再利用の不能な廃棄物が発生するばかりでなく、不経済であるという問題もあった。
【０００６】
【発明が解決しようとする課題】
本発明は、従来の壁面直付型の内部照明看板における上述のような問題点に鑑みてなされたものであり、看板面材内部の汚染などが発生する恐れがなく、また構造が簡素なうえ軽量であって、清掃等の保守作業が極めて簡単容易であると共に、模様替えや破損などの際にも簡便且つ経済的に対応することができる、改良された連合看板装置を提供することを目的としたものである。
【０００７】
【課題を解決するための手段】
上記の目的を達成することができる本発明の連合看板装置は、壁面上に略水平方向に設けた上下１組の看板取付レールと、前記１組の看板取付レールの中間位置に設けた照明用光源と、前記看板取付レールに懸架した光透過性ライン部看板ユニットとを少なくとも備えてなり、前記ライン部看板ユニットが、前方に膨出した形状の光透過性前面板と、該前面板と周縁で接触する光透過性背面板と、該前面板の周縁と該背面板の周縁とを併せて挟着できる嵌合溝を備えると共に前記１組の看板取付レールのそれぞれに懸架結合できる上下１組の懸架部を設けた看板枠体とからなることを特徴とする。
【０００８】
本発明の連合看板装置において、前面板と背面板との少なくとも一方が、光透過性合成樹脂成形体からなるものであると、看板体が軽量で取扱易いものとなって、看板の設置時及び保守時の取り付けや取り外し作業が容易となる効果があり、更に両方ともが光透過性合成樹脂成形体からなるものであると、その効果は一層顕著となる。
【０００９】
また本発明の連合看板装置における看板枠体が、上看板取付レールに対する上懸架部を設けた上枠体と、下看板取付レールに対する下懸架部を設けた下枠体と、該上枠体の左右端部と該下枠体の左右端部とをそれぞれ結合部材を介して連結する左枠体及び右枠体とからなるものであると、看板体の組み立てが容易となるばかりでなく、部分的な破損に対する修理などが極めて容易で、且つ経済的に行える利点がある。そして更に、その左枠体と右枠体との少なくとも一方、好ましくはその両方ともが光透過性合成樹脂から形成されてなるときは、看板体は更に軽量化して着脱作業が円滑となるほか、隣接する看板体との境界部分が明るくなって、見栄えがよくなる利点がある。
【００１０】
かかる看板枠体は、前面側に前記嵌合溝を、また背面側に前記懸架部をそれぞれ設けてなるものであると、看板体取付壁面と看板体との間隔が広くなり、照明用光源を設置するための閉鎖空間を、容易に確保できる利点があり、照明用光源の選択の自由度が増えると共に、装置全体として設計の自由度も大きくなる効果がある。
【００１１】
更に本発明の連合看板装置において、懸架部が看板取付レールに対して着脱可能であるか、又は看板取付レールに沿って摺動可能であると、照明看板装置の設置作業ばかりでなく、任意の看板ユニットを取り外して交換する作業が極めて容易となり、任意の位置に設けた照明用光源の交換や修理などを簡単に行うことができる。そのため、例えば看板ユニットが損傷したときなどに、損傷した看板ユニットを取り外した後に、隣接した看板ユニットを順次に移動させることができるうえ、交換用の看板ユニットが補充されるまでの間、損傷した看板ユニットを最も目立たない位置に取り付けておくなどして、極めて容易に外観上の被害を最小限に抑えることができ、また同様に、看板の補修を行う際の、古い看板ユニットと新しい看板ユニットとが隣接することによる見栄えの低下も、容易に避けることもできる。
【００１２】
このような本発明の連合看板装置における照明用光源は、光源ホルダに取り付けた蛍光管などであるが、この光源ホルダを、看板取付レールの間隔を規制するハンガー部材の前面に設けたホルダー受けに対して、着脱可能に止着し得るように構成すると、これらの各部品のそれぞれを、壁面上の、特に縦方向の正確な位置に取り付けることが容易であり、看板設置工事の簡素化と仕上がり精度の向上とを、同時に実現できる利点がある。
【００１３】
そしてまた、本発明の連合看板装置において、縦断面の表側形状が前記ライン部看板ユニットの表側形状と略一致する光透過性合成樹脂前面板と光透過性合成樹脂側面板とを有し且つ両側面が背後方の鉛直線位置で交差する中空体を備えたコーナー部看板ユニットと、前記ライン部看板ユニットの端面を覆う光不透過性エンドカバーとの少なくとも一方を、前記ライン部看板ユニットの端部に隣接して設けた構成とすることにより、屈折部位を有する壁面に対しても、壁面の状況に応じて連続した看板を設置できるなど、設置位置の状況に対応するための設計上の自由度が更に大きくなる利点がある。
【００１４】
【発明の実施の形態】
本発明の連合看板装置を、図に基づいて説明する。
図１はコンビニエンスストアの前面の、欄間位置に設けられる横長の内照看板の例を示したものである。図１において、１は内照看板を設置する壁面であり、２はライン部看板ユニット、３はコーナー部看板ユニットで、４はエンドカバーである。そしてライン部看板ユニット２は、上看板取付レール５及び下看板取付レール６に対して、上枠体２３に設けた上懸架部及び下枠体２４に設けた下懸架部により、着脱可能且つ左右摺動可能に懸架結合されている。
【００１５】
本発明の連合看板装置に用いられるライン部看板ユニット２は、例えばアクリル樹脂、ポリカーボネート樹脂などの光透過性の硬質合成樹脂を用いて、前方に膨出した形状に成形された板体からなる前面体２１と、同様な光透過性の硬質合成樹脂の成形体からなる背面体２２とを、それぞれの縁部が接触するように重ね合わせて、中空状の看板体とするものである。かかる前面体２１は、厚さ２〜５mmの乳白色半透明板などで成形したものであることが好ましい。また背面体２２は、前記と同様な厚さの透明板などで成形したものであることが、看板の前面を均一に照明できるので好ましく、その形状は平板であってもよく、或いは前方又は後方に向かって膨出した板状であっても構わない。
【００１６】
本発明におけるライン部看板ユニット２の構造は、看板枠体部分のみ破断面とした側面を示す図２、部品の組み立て状態を示す図３、組み合わせ状態の例を示す図４及び組み立て後の要部の断面を示す図５から明らかなように、前面体２１と背面体２２とで構成される看板体の重ね合わせた縁部に、上枠体２３と、下枠体２４と、左枠体２５と、右枠体２６との、それぞれの前面側に形成された嵌合溝を嵌合させ、止結アングル２７と止結ボルト２８ａ及び止結ナット２８ｂとを用い、これらのそれぞれの枠体の隣接する端部を相互に連結して、一体に結合された看板枠体とする。こうすると、前面体２１と背面体２２との重ね合わせた縁部が、看板枠体の前面側に連続して形成された嵌合溝内に、全周にわたって挟着され、ライン部看板ユニット２が組み立てられることになる。
【００１７】
本発明におけるライン部看板ユニット２を組み立てるに用いられる上枠体２３は、例えばアルミニウムなどの金属材料で押出成形された型材で構成されたものが、好ましく用いられる。図５に示された断面形状から明らかなように、上枠体２３の下側には、前側と後側の双方からアングル材支持凸条２３ｃ、２３ｃが向かい合って突設されていて、その間に止結ボルト２８ａ取付用の空隙が形成されている。
【００１８】
一方、上枠体２３の前面側には、下方に向かう挟持壁部２３ａが突設してあって、上枠体２３と挟持壁部２３ａとの間に、前述の前面体２１と背面体２２とを組み合わせた看板体の縁部、特にその上縁部を嵌合し且つ挟着するための上嵌合溝２３ｂが、下方に向かって形成されている。そしてまた、上枠体２３の背面側には、ライン部看板ユニット２を、後述する上看板取付レール５に懸架するための上懸架部が形成されているが、かかる上懸架部は、当接面２３ｄと、その上方に形成された係合溝２３ｅと、係合溝２３ｅの上部から斜め上方向に突設された係合板２３ｆから構成されている。
【００１９】
また、本発明におけるライン部看板ユニット２を組み立てるに用いられる下枠体２４は、上記の上枠体２３と同様な型材で構成されたものが用いられるが、その断面形状は、図５により明らかなように、上枠体２３と類似した構造となっている。すなわち、下枠体２４の上側には、前側と後側の双方からアングル材支持凸条２４ｃ、２４ｃが向かい合って突設されていて、その間に止結ボルト２８ａ取付用の空隙が形成されている。
【００２０】
そして下枠体２４の前面側には、上方に向かう挟持壁部２４ａが突設してあって、下枠体２４と挟持壁部２４ａとの間に、前述の前面体２１と背面体２２とを組み合わせた看板体の縁部、特にその下縁部を嵌合し且つ挟着するための下嵌合溝２４ｂが、上方に向かって形成されている。そしてまた、下枠体２４の背面側には、ライン部看板ユニット２を、後述する下看板取付レール６に取り付けるための下懸架部が形成されている。かかる下懸架部は、当接面２４ｄと、その上方に形成された当接突条２４ｅとから構成されている。
【００２１】
更に、上枠体２３の左端部と下枠体２４の左端部とを連結する左枠体２５は、その前面側に右方に向かう挟持壁部２５ａが突設されて、上記の上枠体２３や下枠体２４と同様に、前面体２１と背面体２２との重ね合わせた左側縁部を嵌合し、且つ挟着する左嵌合溝２５ｂを備えているほかは、上枠体２３や下枠体２４と類似した構造を備えている。なお、この左枠体２５は、その左側外面は円柱面状に形成されていると、ライン部看板ユニットを看板取付レールに取り付けるに際して、隣接する他の看板ユニットと衝突するような場合でも、容易に取付作業を進めることができる利点がある。また、この左枠体２５の左側板の上端部分は上方に延長されて、図４に示すように、上枠体２３の左端部を覆うように形成されていることが好ましい。更にまた、左枠体２５を構成する材料は、アルミニウム等の金属などであってもよいが、例えばポリカーボネート樹脂やアクリル樹脂などの光透過性合成樹脂であることが、見栄えなどの点から、より好ましい。
【００２２】
また、上枠体２３の右端部と下枠体２４の右端部とを連結する右枠体２６は、上記の左枠体２５と左右が全く反対の対照的な構造を有していて、前面体２１と背面体２２との重ね合わせた右側縁部を嵌合し、且つ挟着する右嵌合溝２６ｂを備えているほかは、左枠体２５と同様な構造となっている。そして、この右枠体２６を構成する材料は、特に限定されるものではないが、左枠体２５と同様な材料であることが好ましい。
【００２３】
本発明におけるライン部看板ユニット２に用いられる看板枠体は、前述のように、上枠体２３と、下枠体２４と、左枠体２５と、右枠体２６とのそれぞれの端部を、止結アングル２７と止結ボルト２８ａ及び止結ナット２８ｂとにより、相互に結合してなるものであるが、かかる結合構造を、図５における上枠体２３と左枠体２５との結合構造を例として、以下に説明する。
【００２４】
先ず、上枠体２３の左端部のアングル材支持凸条２３ｃ、２３ｃの裏側に、その左端部から止結ボルト２８ａの頭部を滑り込ませると共に、止結ボルト２８ａの脚部をアングル材支持凸条２３ｃ、２３ｃ間の空隙から下方に突出させ、止結アングル２７の一方の腕の背面が、上枠体２３の下面、即ちアングル材支持凸条２３ｃ、２３ｃの表面に接触するよう取り付け、止結ボルト２８ａを挿通して、止結ナット２８ｂで軽く締めつける。
【００２５】
次いで、上記と同様な手順で左枠体２５の上端部に止結ボルト２８ａを取り付けて、左枠体２５の上端部の端面を上枠体２３の左端部の下面に当接させ、上記の止結アングル２７の他方の腕の背面が、左枠体２５の右側面に接触するよう取り付けて止結ボルト２８ａを挿通し、止結ナット２８ｂで軽く締めつける。そして、上枠体２３と左枠体２５との姿勢を調整して、上枠体２３の上嵌合溝２３ｂの位置と左枠体２５の左嵌合溝２５ｂの位置とを一致させ、双方の止結ナット２８ｂを増し締めして止結アングル２７を固定させる。
【００２６】
こうして上枠体２３と左枠体２５との結合が完成した後、例えば上枠体２３の右端部と右枠体２６の上端部とを、上記と同様な手順により結合して、左枠体２５と上枠体２３と右枠体２６との結合を完成させる。このときには、左嵌合溝２５ｂと上嵌合溝２３ｂと右嵌合溝２６ｂとが、一続きの嵌合溝を構成することになるので、これに前面体２１と背面体２２とを重ね合わせた看板体の左と上と右の縁部を嵌合させると、看板体の左と上と右の３方の縁部がいずれも枠体に挟着した状態となる。
【００２７】
そこで最後に、看板体の下の縁部を下枠体２４の下嵌合溝２４ｂに嵌合させ、左枠体２５と右枠体２６のそれぞれの下端部に下枠体２４の左右の端部を、いずれも止結アングル２７を用いて結合し、必要に応じて下枠体２４の左右の端面にコーナーパット２９等を装着すると、看板枠体が完成すると同時に、ライン部看板ユニット２も完成する。
【００２８】
なお、上述のような本発明におけるライン部看板ユニット２を組み立てるに当たり、前面体２１と背面体２２とを重ね合わせた看板体の縁部には、縁部の合わせ目、或いは縁部と嵌合溝との間などにパッキン等を使用してもよいことは言うまでもなく、また組み立て手順は、必ずしも上述の手順に限られるものではなく、本発明の効果を損なわない限り適宜変更することもなんら差し支えない。
【００２９】
上記のように組み立てたライン部看板ユニット２は、その上枠体２３の背面側に、当接面２３ｄと、係合溝２３ｅと、係合板２３ｆとを備えた上懸架部が設けられており、またその下枠体２４の背面側に、当接面２４ｄと、当接突条２４ｅとを備えた下懸架部が設けられているので、何時でも看板取付レールに対して懸架することができる。しかし、本発明の別な態様においては、上枠体の背面側や下枠体の背面側に懸架部取付座を設けておき、ライン部看板ユニットの組み立てを行う前或いは後に、別途に用意した上懸架部や下懸架部を、上記の懸架部取付座に取付固定することもできる。
【００３０】
本発明の内照看板において、ライン部看板ユニット２を懸架する看板取付レールは、上看板取付レール５と下看板取付レール６とから構成されている。かかる看板取付レールは、いずれも、例えば長尺のアルミニウム押出型材などからなるもので、図６に示すように、看板の取り付け壁面１に水平方向に取り付けてある。これらの上看板取付レール５、及び下看板取付レール６を壁面１に取り付けるに際しては、先ず上看板取付レール５を水平となるよう取り付ける。そして、上看板取付レールと下看板取付レール６の間隔を所定の長さにするために、所定の長さを有するハンガー部材７の上端部を上看板取付レール５に係合し、こうして垂直に懸垂した状態のハンガー部材７を壁面１に固定する。更にこうして固定された複数のハンガー部材７の下端部に、下看板取付レール６を係合させると、下看板取付レール６が自動的に所定の位置に置かれることとなるので、その状態で下看板取付レール６を壁面１に固定する。こうすると、下看板取付レール６も下看板取付レール５と同様に、正しく水平に取り付けることができる。
【００３１】
壁面１に取り付けられるハンガー部材７の中央位置の前面には、例えば蛍光管などの照明用光源８を取り付ける光源ホルダ８１を、所定の位置で水平に係合固定するためのホルダー受け７１が固着されている。このホルダー受け７１には、先端に係合爪が形成された弾性係合片が突設されており、清掃や修理などのために、容易に光源ホルダ８１を取り外すことができるように、構成されている。
【００３２】
このようにして壁面１に上看板取付レール５及び下看板取付レール６、ハンガー部材７、光源ホルダ８１及び照明用光源８などを取り付けた後、上看板取付レール５及び下看板取付レール６に対して、ライン部看板ユニット２を結合することになる。その際には、先ず図７の（Ｂ）に示すように、上枠体２３の懸架部を構成する係合板２３ｆが水平に近くなるように、ライン部看板ユニット２を傾けた姿勢とし、上看板取付レール５の係合突起５ｃの下側に係合板２３ｆを挿入する。次いでライン部看板ユニット２を垂直方向の位置、即ち図７の（Ａ）の状態にすると、係合溝２３ｅ及び係合板２３ｆが、上看板取付レール５の支持端５ｂ及び係合突起５ｃにそれぞれ係合し、同時に当接面２３ｄが、上看板取付レール５の当接面５ａに当接する。
【００３３】
こうして、ライン部看板ユニット２が上看板取付レール５に対して懸架されると、図８の（Ａ）のように、下枠体２４の懸架部を構成する当接面２４ｄ及び当接突条２４ｅが、下看板取付レール６の第１当接面６ａ及び第２当接面６ｂにそれぞれ当接し、それと同時に、係止爪２４ｆが下看板取付レール６の係止肩６ｃに係合する。そのため、下枠体２４の懸架部と下看板取付レール６との係合状態が保持され、その結果としてライン部看板ユニット２は、確実に上看板取付レール５と下看板取付レール６とに結合されることになる。
【００３４】
このようにして結合されたライン部看板ユニット２を、看板取付レールから取り外すには、先ず図８の（Ｂ）のように、係合外しボタン２４ｇを押す。そうすると、スプリング２４ｈの付勢力に抗して係止爪２４ｆが係止肩６ｃから外れるから、でライン部看板ユニット２の下部を手前に引くと、下枠体２４の懸架部と下看板取付レール６との係合状態は簡単に解除され、ライン部看板ユニット２は、上看板取付レール５のみに単に懸架された状態になる。従ってライン部看板ユニット２は、上看板取付レール５から取り外すことも、また上看板取付レール５に懸架したまま任意の位置まで移動させることも、簡単にできるようになる。
【００３５】
また、本発明の連合看板装置には、更に必要に応じてコーナー部看板ユニット３やエンドカバー４を取り付けることができる。ここで用いられるコーナー部看板ユニット３は、ライン部看板ユニット２と同様に、光透過性の硬質合成樹脂で形成された中空の成形体を用いて構成されたものである。かかるコーナー部看板ユニット３の縦断面の表側形状は、ライン部看板ユニット２の表側形状と略一致する前面板を備え、またその両側面が背後方の鉛直線位置で交差するように、後すぼみ状の横断面を有しているものである。
【００３６】
このようなコーナー部看板ユニット３は、図９に示すように、壁面１のコーナー部１ａに設けるほかに、１個以上のライン部看板ユニット２が設けられた看板の両側端、或いは一方側端に設けて、側端部にもライン部と同様なデザインを表した看板を構成することもできる。そして、壁面のコーナー部１ａにコーナー部看板ユニット３を設けるに当たっては、例えばＬ型などの固定金具３１を介して固定するか、又は着脱可能に懸架することができる。こうして取り付けられたコーナー部看板ユニット３は、ライン部看板ユニット２が隣接して設けられているので、隣接したライン部看板ユニット２の側端部から漏れ出る照明光が、コーナー部看板ユニット３の側端部から供給されることになるから、コーナー部看板ユニット３には、特に照明用光源を設ける必要がない。
【００３７】
また、ライン部看板ユニット２やコーナー部看板ユニット３を設けてなる看板の、両側端或いは一方側端には、必要に応じて、図１０に示すようなエンドカバー４を設けることができる。このようなエンドカバー４は、看板の側端部から漏れ出る照明光を制限する必要があるときに設けるもので、光遮断性能が高ければどのような材料を用いて形成してもよいが、製造の容易さや耐久性等の点からは、アルミニウム板などにより形成することが好ましい。そして壁面１にエンドカバー４を取り付けるに当たっては、例えばＬ型などの固定金具４１を用いて壁面１に固定することができる。
【００３８】
【発明の効果】
本発明の連合看板装置は、壁面上に設けた看板取付レールに対して、背後側から照明されるライン部看板ユニットを、着脱並びに摺動可能に取り付けてなるもので、看板部分の汚れが付きにくい利点がある。そして看板ユニットと照明用光源とはそれぞれが別体として設けられ、別々に取り外しできるので、それぞれが軽量であることと相まって、清掃や修理、部品交換などが安全かつ容易に実施でき、保守管理の費用が少ないうえ、部品等の回収再利用も容易で、廃棄物発生量の抑制にも有効であるという効果がある。
更に所望により、縦断面の表側形状がライン部看板ユニットの表側形状と略一致し且つ横断面が扇状乃至弧状の光透過性合成樹脂中空曲筒体よりなるコーナー部看板ユニットを隣接させて取り付けるようにすると、コーナー部を有する屈折した壁面にも何らの違和感なく設置することができ、また端部を直角形状や丸み形状のいずれにも設定できる自由度があるので、看板装置の設計や設置のコストを大幅に節減できる利点がある。
【図面の簡単な説明】
【図１】本発明の連合看板装置の設置状態の１例を示す外観斜視図である。
【図２】本発明の連合看板装置に用いられるライン部看板ユニットの、一部を切り欠いた状態を示す側面図である。
【図３】本発明の連合看板装置に用いられるライン部看板ユニットの組立状態の例を示す外観斜視図である。
【図４】本発明の連合看板装置に用いられるライン部看板ユニットの、看板枠体の組み合わせ状態の例を示す正面図である。
【図５】本発明の連合看板装置に用いられるライン部看板ユニットの、看板枠体の組立構造を示す断面図である。
【図６】本発明の連合看板装置に用いられる看板取付レール、ハンガー部材、照明用光源、及びライン部看板ユニットの組立状態の例を示す外観斜視図である。
【図７】本発明の連合看板装置のライン部看板ユニットを看板取付レールに結合する例の構造を示し、（Ａ）は上看板取付レールと上枠体との結合状態を、（Ｂ）は上看板取付レールに上枠体を懸架した状態を、それぞれ示す断面図である。
【図８】本発明の連合看板装置のライン部看板ユニットを看板取付レールに結合する例の構造を示し、（Ａ）は下看板取付レールと下枠体との結合状態を、（Ｂ）は下看板取付レールから下枠体を開放した状態を、それぞれ示す断面図である。
【図９】本発明の連合看板装置に用いられるコーナー部看板ユニットの例の形状とその取付状態を示す外観斜視図である。
【図１０】本発明の連合看板装置に用いられるエンドカバーの例の形状とその取付状態を示す外観斜視図である。
【符号の説明】
１        壁面
１ａ      コーナー部
２        ライン部看板ユニット
２１      前面体
２２      背面体
２３      上枠体
２３ａ    挟持壁部
２３ｂ    上嵌合溝
２３ｃ    アングル材支持凸条
２３ｄ    当接面
２３ｅ    係合溝
２３ｆ    係合板
２４      下枠体
２４ａ    挟持壁部
２４ｂ    下嵌合溝
２４ｃ    アングル材支持凸条
２４ｄ    当接面
２４ｅ    当接突条
２４ｆ    係止爪
２４ｇ    係合外しボタン
２４ｈ    スプリング
２５      左枠体
２５ａ    挟持壁部
２５ｂ    左嵌合溝
２６      右枠体
２６ａ    挟持壁部
２６ｂ    右嵌合溝
２７      止結アングル
２８ａ    止結ボルト
２８ｂ    止結ナット
２９      コーナーパット
３        コーナー部看板ユニット
３１      固定金具
４        エンドカバー
４１      固定金具
５        上看板取付レール
５ａ      当接面
５ｂ      支持端
５ｃ      係合突起
６        下看板取付レール
６ａ      第１当接面
６ｂ      第２当接面
６ｃ      係止肩
７        ハンガー部材
７１      ホルダー受け
８        照明用光源
８１      光源ホルダ
【図１】
0004272748.tif 000002
【図２】
0004272748.tif 000003
【図３】
0004272748.tif 000004
【図４】
0004272748.tif 000005
【図５】
0004272748.tif 000006
【図６】
0004272748.tif 000007
【図７】
0004272748.tif 000008
【図８】
0004272748.tif 000009
【図９】
0004272748.tif 000010
【図１０】
0004272748.tif 000011